(57)【要約】【課題】高い電子注入特性を有しており、有機ＥＬ素子の低電圧化を図るために有用な電子注入材料及びそれを用いた有機ＥＬ素子を提供する。【解決手段】有機ＥＬ素子に、一般式  Ｒ−ＣＯ2Ｎａ  …（１）  で表される含窒素芳香族カルボン酸ナトリウム誘導体からなる電子注入材料を用いる。（式（１）中、Ｒは窒素を少なくとも１つ含む単環又は縮合環の芳香族炭化水素基であり、該芳香族炭化水素基はアルキル基又は芳香族炭化水素基で置換されていてもよい。）【選択図】なし【特許請求の範囲】
【請求項１】
一般式  Ｒ−ＣＯ2Ｎａ  …（１）  で表される含窒素芳香族カルボン酸ナトリウム誘導体からなることを特徴とする電子注入材料。
（式（１）中、Ｒは窒素を少なくとも１つ含む単環又は縮合環の芳香族炭化水素基であり、該芳香族炭化水素基はアルキル基又は芳香族炭化水素基で置換されていてもよい。）
【請求項２】
請求項１記載の電子注入材料が用いられていることを特徴とする有機エレクトロルミネッセンス素子。
【発明の詳細な説明】
【技術分野】
【０００１】
本発明は、含窒素芳香族カルボン酸ナトリウム誘導体からなる電子注入材料及びそれを用いた有機エレクトロルミネッセンス素子（以下、有機ＥＬ素子と略称する）に関する。
【背景技術】
【０００２】
有機ＥＬは、一部の製品で実用化が開始されているが、大型ディスプレイや照明分野への応用には、素子のさらなる低電圧化が重要課題の１つである。有機ＥＬは、金属／有機層、有機層／有機層の界面を多く有する多積層型デバイスであり、中でも、陰極から電子輸送層界面における大きな注入障壁が、高電圧化及び電力効率の低下を招く大きな要因となっている。
【０００３】
これに対する改善策としては、金属／有機層間に極薄膜のアルカリ金属化合物の挿入や、電子輸送層にアルカリ金属をドープする化学ドーピング等が提案されている。また、従来、陰極／有機層界面にフッ化リチウムやリチウムキノラートからなる電子注入層を挿入することが一般的に行われている（例えば、非特許文献１参照）。
【０００４】
素子のさらなる低電圧化のために、汎用材料であるフッ化リチウムやリチウムキノラートの特性を上回る電子注入材料が求められているが、蒸着型素子及び塗布型素子のいずれにおいても、このような電子注入材料は極めて少ない。
【０００５】
例えば、安息香酸ナトリウム（Ｃ6Ｈ5ＣＯＯＮａ）やステアリン酸ナトリウム（Ｃ17Ｈ35ＣＯＯＮａ）等のカルボン酸ナトリウムは、電子注入材料として一般的に使用されているフッ化リチウムに比べて電子注入特性が高いことが知られている（非特許文献２，３参照）。
【先行技術文献】
【非特許文献】
【０００６】
【非特許文献１】J.Endo, T.Matsumoto, J.Kido, Jpn. J. Appl. Phys., 41, 2002, p.L800-L803
【非特許文献２】Y.Q.Zhan, etal., Appl. Phys. Lett., 83, 2003, p.1656
【非特許文献３】H.Siemund, F.Brocker, H.Gobel, Org. Electro., 14, 2013, p.335-343
【発明の概要】
【発明が解決しようとする課題】
【０００７】
しかしながら、カルボン酸ナトリウムの誘導体については、その電子注入特性についての検討はなされていない。
【０００８】
一方で、近年、製造効率やコスト等の観点から、塗布型有機ＥＬ素子が注目されており、このような素子に適用可能であり、かつ、高い電子注入特性を有する電子注入材料が求められている。
【０００９】
そこで、本発明者らは、カルボン酸ナトリウム誘導体に着目して検討したところ、高い電子注入特性を有する電子注入材料を見出した。
【００１０】
すなわち、本発明は、高い電子注入特性を有しており、有機ＥＬ素子の低電圧化を図るために有用な電子注入材料及びそれを用いた有機ＥＬ素子を提供することを目的とするものである。
【課題を解決するための手段】
【００１１】
本発明に係る電子注入材料は、一般式  Ｒ−ＣＯ2Ｎａ  …（１）  で表される含窒素芳香族カルボン酸ナトリウム誘導体からなることを特徴とする。
前記式（１）において、Ｒは窒素を少なくとも１つ含む単環又は縮合環の芳香族炭化水素基であり、該芳香族炭化水素基はアルキル基又は芳香族炭化水素基で置換されていてもよい。
このような含窒素芳香族カルボン酸ナトリウム誘導体は、高い電子注入特性を有しており、かつ、溶解性に優れ、塗布型有機ＥＬ素子にも好適に適用することができる。
【００１２】
また、本発明によれば、前記電子注入材料が用いられていることを特徴とする有機ＥＬ素子が提供される。
このような有機ＥＬ素子は、蒸着プロセス及び塗布プロセスのいずれでも高い電子注入特性が得られ、低電圧化が図られる。
【発明の効果】
【００１３】
本発明に係る電子注入材料は、高い電子注入特性を有しており、かつ、溶解性に優れ、蒸着型及び塗布型のいずれの有機ＥＬ素子にも好適に適用することができる。
したがって、前記電子注入材料を用いることにより、有機ＥＬ素子を効果的に低電圧化させることができる。
【図面の簡単な説明】
【００１４】
【図１】本発明に係る有機ＥＬ素子の層構造の一例を模式的に示した概略断面図である。
【図２】実施例において電子注入層を溶液濃度１ｍｇ／ｍｌで成膜した有機ＥＬ素子の電流密度−電圧特性を示したグラフである。
【図３】実施例において電子注入層を溶液濃度３ｍｇ／ｍｌで成膜した有機ＥＬ素子の電流密度−電圧特性を示したグラフである。
【発明を実施するための形態】
【００１５】
以下、本発明について、より詳細に説明する。
本発明に係る電子注入材料は、一般式  Ｒ−ＣＯ2Ｎａ  …（１）  で表される含窒素芳香族カルボン酸ナトリウム誘導体からなるものである。
前記式（１）において、Ｒは窒素を少なくとも１つ含む単環又は縮合環の芳香族炭化水素基であり、該芳香族炭化水素基はアルキル基又は芳香族炭化水素基で置換されていてもよい。
【００１６】
前記式（１）で表される化合物は、より詳細には、下記一般式（２）により表すことができる。
【００１７】
【化１】
2015185710.tif 000002
【００１８】
前記式（２）において、破線部分は、前記式（１）におけるＲが縮合環である場合を示すものである。前記芳香族炭化水素基の単環又は縮合環に含まれる窒素は、環のいずれの位置でもよい。また、Ｒ1〜Ｒ6は、水素、アルキル基又は芳香族炭化水素基のうちのいずれかである。
【００１９】
上記のような含窒素芳香族カルボン酸ナトリウム誘導体は、高い電子注入特性を有しており、かつ、溶解性に優れている。また、繰り返し構造を有し、高分子量であるポリマーと異なり、真空蒸着可能な低分子であるため、蒸着型及び塗布型のいずれの有機ＥＬ素子にも好適に適用することができる電子注入材料である。
【００２０】
前記一般式（１）で表される含窒素芳香族カルボン酸ナトリウム誘導体のうち、代表例としては、下記に示すような２−キノリンカルボン酸ナトリウム（１）、ピリジン−２−カルボン酸ナトリウム（２）、ピリジン−３−カルボン酸ナトリウム（３）、ピリジン−４−カルボン酸ナトリウム（４）が挙げられる。
【００２１】
【化２】
2015185710.tif 000003
【００２２】
上記のような含窒素芳香族カルボン酸ナトリウム誘導体が用いられている本発明に係る有機ＥＬ素子は、一対の電極間に少なくとも１層の有機層が積層された構造からなる。具体的な層構造としては、例えば、陽極／発光層／陰極、陽極／ホール輸送層／発光層／電子輸送層／陰極、あるいはまた、図１に示すような、基板１／陽極２／ホール輸送層３／／インターレイヤー４／発光層５／電子注入層６／陰極７等の構造が挙げられる。
さらに、ホール注入層、ホール輸送発光層、電子輸送発光層等をも含む公知の積層構造であってもよい。
また、本発明に係る有機ＥＬ素子は、１つの発光層を含む発光ユニットが電荷発生層を介して直列式に複数段積層されてなるマルチフォトンエミッション構造の素子であってもよい。
【００２３】
前記有機ＥＬ素子において、前記含窒素芳香族カルボン酸ナトリウム誘導体は、電子注入材料として用いられ、これにより、蒸着プロセス及び塗布プロセスのいずれでも高い電子注入特性が得られ、低電圧化が図られる。
【００２４】
なお、前記有機ＥＬ素子においては、本発明に係る電子注入材料以外の各層の構成材料は、特に限定されるものではなく、公知のものから適宜選択して用いることができ、低分子系又は高分子系のいずれであってもよい。
前記各層の膜厚は、各層同士の適応性や求められる全体の層厚さ等を考慮して、適宜状況に応じて定められるが、通常、５ｎｍ〜５μｍの範囲内であることが好ましい。
【００２５】
上記各層の形成方法は、蒸着法、スパッタリング法等などのドライプロセスでもよいが、本発明は、特に、塗布プロセスにより形成可能である点に利点を有しており、スピンコート法、インクジェット法、キャスティング法、ディップコート法、バーコート法、ブレードコート法、ロールコート法、グラビアコート法、フレキソ印刷法、スプレーコート法、ナノパーティクル分散液を用いる方法等のウェットプロセスを好適に適用することができる。
【００２６】
また、電極も、公知の材料及び構成でよく、特に限定されるものではない。例えば、ガラスやポリマーからなる透明基板上に透明導電性薄膜が形成されたものが用いられ、ガラス基板に陽極として酸化インジウム錫（ＩＴＯ）電極が形成された、いわゆるＩＴＯ基板が一般的である。一方、陰極は、Ａｌ等の仕事関数の小さい（４ｅＶ以下）金属や合金、導電性化合物により構成される。
【実施例】
【００２７】
以下、本発明を実施例に基づきさらに具体的に説明するが、本発明は下記の実施例により制限されるものではない。
【００２８】
電子注入層に、上記（化２）に示した各含窒素芳香族カルボン酸ナトリウム誘導体を用いて、図１に示すような層構造を有する有機ＥＬ素子を以下のような工程により作製した。
まず、ガラス基板１上にＩＴＯが成膜された陽極２上に、ＰＥＤＯＴ：ＰＳＳをスピンコート（６５００ｒｐｍ、３０秒間）により成膜し、２００℃で１０分間熱処理し、ホール輸送層３を形成した。
その上に、インターレイヤー４としてＩＬ（住友化学株式会社製ポリマー）のｐ−キシレン溶液（７ｍｇ／ｍｌ）をスピンコート（５０００ｒｐｍ、１０秒間）により成膜し、１８０℃で１時間熱処理し、その上に、緑色蛍光発光材料であるＦ８ＢＴの２−エトキシエタノール溶液（１ｍｇ／ｍｌ又は３ｍｇ／ｍｌ）をスピンコート（２５００ｒｐｍ、３０秒間）により成膜し、１３０℃で１０分間熱処理し、極薄膜又は厚膜の発光層５を形成した。
その上に、各含窒素芳香族カルボン酸ナトリウム誘導体のｐ−キシレン溶液（１２ｍｇ／ｍｌ）をスピンコート（２０００ｒｐｍ、３０秒間）により成膜し、電子注入層（ＥＩＬ）６を形成した。
その上に、Ａｌを膜厚１００ｎｍで真空蒸着により成膜し、陰極７を形成した。
【００２９】
具体的な素子の層構成は、ＩＴＯ／ＰＥＤＯＴ：ＰＳＳ（３０ｎｍ）／ＩＬ（２０ｎｍ）／Ｆ８ＢＴ（８０ｎｍ）／ＥＩＬ／Ａｌ（１００ｎｍ）である。
なお、前記素子に用いたＦ８ＢＴの化学式を下記に示す。
【００３０】
【化３】
2015185710.tif 000004
【００３１】
比較のため、電子注入層として、汎用材料であるリチウムキノラート、又は、安息香酸ナトリウムを用い、それ以外については、上記と同様の層構成とした素子も作製した。
【００３２】
上記において作製した各素子は、いずれも、良好な緑色蛍光発光が認められた。
また、各素子について、発光輝度１００ｃｄ／ｍ2、１０００ｃｄ／ｍ2のときの駆動電圧、電力効率及び外部量子効率の測定を行った。
これらの測定結果を表１，２にまとめて示す。表１には、ＥＩＬを溶液濃度１ｍｇ／ｍｌで塗布（スピンコート）成膜し、薄膜として形成した場合、表２には、溶液濃度３ｍｇ／ｍｌで塗布（スピンコート）成膜し、厚膜として形成した場合について示す。
なお、表１，２においては、２−キノリンカルボン酸ナトリウムを「キノリン」、ピリジン−２−カルボン酸ナトリウムを「ピリジン−２」、ピリジン−３−カルボン酸ナトリウムを「ピリジン−３」、ピリジン−４−カルボン酸ナトリウムを「ピリジン−４」、リチウムキノラートを「Ｌｉｑ」、安息香酸ナトリウムを「安息香酸」と略称する。
【００３３】
【表１】
2015185710.tif 000005
【００３４】
【表２】
2015185710.tif 000006
【００３５】
また、図２に、濃度１ｍｇ／ｍｌの各含窒素芳香族カルボン酸ナトリウム誘導体溶液を用いて電子注入層を成膜した場合の電流密度−電圧特性のグラフを示す。なお、比較のため、電子注入層を設けない素子についても併せて示す。
また、図３に、濃度３ｍｇ／ｍｌの各芳香族カルボン酸ナトリウム誘導体溶液を用いて電子注入層を成膜した場合の電流密度−電圧特性のグラフを示す。なお、比較のため、電子注入層にＬｉｑ（溶液濃度１ｍｇ／ｍｌ）を用いた素子についても併せて示す。
【００３６】
図２に示した結果から分かるように、濃度１ｍｇ／ｍｌの含窒素芳香族カルボン酸ナトリウム誘導体溶液を用いて電子注入層を成膜した場合、電子注入特性が向上することが認められた。また、芳香族環がより電子輸送性の高い２−キノリンカルボン酸ナトリウムの場合、より低電圧化を示した。
また、図３に示した結果から分かるように、２−キノリンカルボン酸ナトリウムは汎用材料であるＬｉｑと同等の電子注入特性を示すことが認められた。
また、表１，２に示した結果から分かるように、電子注入層に芳香族カルボン酸ナトリウム誘導体を用いた場合、Ｌｉｑと同等以上の外部量子効率を示すことが認められた。
【符号の説明】
【００３７】
１  基板
２  陽極
３  ホール輸送層
４  インターレイヤー
５  発光層
６  電子注入層
７  陰極
【図１】
2015185710.tif 000007
【図２】
2015185710.tif 000008
【図３】
2015185710.tif 000009